(57)【要約】【課題】外国人のユーザに対して、自動料金収受システムにおいて徴収される料金の多寡を実感としてつかむことができるようにするナビゲーション装置を提供する。【解決手段】ＥＴＣ車載器が料金所において徴収料金の情報を取得したとき、徴収料金の情報５０ｂが表示モニタ１６に表示される。ナビゲーション装置に使用される言語は英語（ＵＳＡ）に設定されたので、徴収料金を表す通貨は、米国の通貨である「ドル」である。したがって、データ記憶装置に記憶された外国為替レートの情報に基づいて徴収料金「１１６０円」が「１０ドル」に換算され、徴収料金として表示モニタ１６に表示される。また、スピーカからもドルに換算された徴収料金の情報６０ｂが英語の音声で出力される。【選択図】図６
2009092560.tif 000002
【特許請求の範囲】
【請求項１】
自動料金収受システムで使用される車載器と接続したナビゲーション装置において、
前記ナビゲーション装置に使用する言語を設定する言語設定手段と、
前記自動料金収受システムで徴収される料金の情報を前記車載器から取得する徴収料金情報取得手段と、
前記言語設定手段により設定された言語に基づいて、通貨を決定する通貨決定手段と、
前記通貨決定手段で決定した通貨に換算して、前記徴収料金情報取得手段により取得した徴収料金の情報を通知する徴収料金情報通知手段とを備えることを特徴とするナビゲーション装置。
【請求項２】
請求項１に記載のナビゲーション装置において、
前記徴収料金情報通知手段は、前記通貨に換算した徴収料金の金額が参考金額であることを通知することを特徴とするナビゲーション装置。
【請求項３】
請求項１または２に記載のナビゲーション装置において、
前記自動料金収受システムで徴収される料金の履歴の情報を前記車載器から取得する徴収料金履歴情報取得手段と、
前記通貨決定手段で決定した通貨に換算して、前記徴収料金履歴情報取得手段により取得した徴収料金の履歴の情報を通知する徴収料金履歴情報通知手段とを備えることを特徴とするナビゲーション装置。
【発明の詳細な説明】
【技術分野】
【０００１】
本発明は、自動料金収受システムにおいて徴収される料金の情報を表示するナビゲーション装置に関する。
【背景技術】
【０００２】
自動料金収受（ＥＴＣ：Ｅｌｅｃｔｒｏｎｉｃ  Ｔｏｌｌ  Ｃｏｌｌｅｃｔｉｏｎ）システムで徴収される高速道路の通行料金を表示するＥＴＣ用車載器が従来技術として知られている（たとえば、特許文献１）。
【特許文献１】特開２００３−３１７１２４号公報
【発明の開示】
【発明が解決しようとする課題】
【０００３】
外国人のユーザは、特許文献１に記載されているような従来のＥＴＣ用車載器に表示されている円貨による金額を見ても、通行料金の多寡を実感としてつかめないというという問題点がある。
【課題を解決するための手段】
【０００４】
（１）請求項１の発明のナビゲーション装置は、自動料金収受システムで使用される車載器と接続したナビゲーション装置において、ナビゲーション装置に使用する言語を設定する言語設定手段と、自動料金収受システムで徴収される料金の情報を車載器から取得する徴収料金情報取得手段と、言語設定手段により設定された言語に基づいて、通貨を決定する通貨決定手段と、通貨決定手段で決定した通貨に換算して、徴収料金情報取得手段により取得した徴収料金の情報を通知する徴収料金情報通知手段とを備えることを特徴とする。
（２）請求項２の発明は、請求項１に記載のナビゲーション装置において、徴収料金情報通知手段は、通貨に換算した徴収料金の金額が参考金額であることを通知することを特徴とする。
（３）請求項３の発明は、請求項１または２に記載のナビゲーション装置において、自動料金収受システムで徴収される料金の履歴の情報を車載器から取得する徴収料金履歴情報取得手段と、通貨決定手段で決定した通貨に換算して、徴収料金履歴情報取得手段により取得した徴収料金の履歴の情報を通知する徴収料金履歴情報通知手段とを備えることを特徴とする。
【発明の効果】
【０００５】
本発明によれば、ナビゲーション装置に使用されている言語に基づいて、自動料金収受システムにおいて徴収される料金を表す通貨を決定し、その通貨で自動料金収受システムにおいて徴収される料金をユーザに通知するようにした。したがって、外国人のユーザは、自動料金収受システムにおいて徴収される料金の多寡を実感としてつかむことができる。
【発明を実施するための最良の形態】
【０００６】
図１は、本発明の実施形態によるナビゲーション装置１を示す。ナビゲーション装置１は、ＥＴＣ車載器２と接続しており、ＥＴＣ車載器２から自動料金収受（ＥＴＣ）システムにおいて徴収される料金の情報を取得することができる。ナビゲーション装置１は、取得した料金の情報を、ナビゲーション装置１に使用する言語に基づいて選択された通貨で表示する。また、ナビゲーション装置１は、ＥＴＣ車載器２に挿入されているＩＣカードに記録された料金徴収の履歴の情報を取得することができる。ナビゲーション装置１は、制御回路１１、ＲＯＭ１２、ＲＡＭ１３、現在地検出装置１４、画像メモリ１５、表示モニタ１６、スピーカ１７、入力装置１８、通信装置１９、データ記憶装置１１０およびディスクドライブ１１１を有している。ディスクドライブ１１１には、地図データが記憶されたＤＶＤ−ＲＯＭ１１２が装填されている。
【０００７】
制御回路１１は、マイクロプロセッサ及びその周辺回路からなり、ＲＡＭ１３を作業エリアとしてＲＯＭ１２に格納された制御プログラムを実行して各種の制御を行う。制御回路１１は、ＤＶＤ−ＲＯＭ１１２に記憶された地図データに基づいて所定の経路探索処理を行う。そして、その処理結果を推奨経路として表示モニタ１６に表示する。
【０００８】
現在地検出装置１４は車両の現在地を検出する装置である。現在地検出装置１４は、振動ジャイロ１４ａ、車速センサ１４ｂ、ＧＰＳ（Ｇｌｏｂａｌ  Ｐｏｓｉｔｉｏｎｉｎｇ  Ｓｙｓｔｅｍ）センサ１４ｃなどからなる。振動ジャイロ１４ａは車両の進行方向を検出し、車速センサ１４ｂは車速を検出し、ＧＰＳセンサ１４ｃはＧＰＳ衛星からのＧＰＳ信号を検出する。ナビゲーション装置１は、この現在地検出装置１４により検出された車両の現在地に基づいて、地図の表示範囲や経路探索開始点などを決定する。また、現在地検出装置１４により検出された車両の現在地が自車位置マークとして地図上に表示される。
【０００９】
画像メモリ１５は、表示モニタ１６に表示するための画像データを格納する。この画像データは道路地図描画用データや各種の図形データからなり、それらはＤＶＤ−ＲＯＭ１１２に記憶された地図データに基づいて、制御回路１１において適宜生成される。
【００１０】
ディスクドライブ１１１は、ＤＶＤ−ＲＯＭ１１２から地図データを読み出す。地図データは、地図表示用データ、経路探索用データなどを含む。地図表示用データおよび経路探索用データには、地図データに格納されている道路のリンク情報およびノード情報が含まれている。地図表示用データは、広域から詳細まで複数の縮尺の地図データを有し、ユーザの要求にしたがって、表示地図の縮尺を変更することができる。なお、ＤＶＤ−ＲＯＭ１１２以外の他の記録メディア、たとえばＣＤ−ＲＯＭやハードディスクなどより地図データを読み出してもよい。
【００１１】
表示モニタ１６は、地図データなどの各種情報に基づいて、自車位置付近の地図などの各種情報を画面表示としてユーザに提供する。スピーカ１７は、各種入力操作をユーザに指示したり、経路誘導したりするための音声を出力する。入力装置１８は、ユーザが各種コマンドの設定などのために操作される操作キーを有し、操作パネル上のボタンスイッチやパネル周囲のハードスイッチなどによって実現される。ユーザは、表示モニタ１６の表示画面の指示やスピーカ１７からの音声指示にしたがって入力装置１８を操作することにより、目的地を設定する。また、ユーザは、入力装置１８を操作することにより、表示モニタ１６の表示画面に表示されたメニュー画面の中から所望の項目を選択することができる。
【００１２】
目的地がユーザによって設定されると、目的地に経路探索終了点が設定される。そして、経路探索用データを用いて経路探索開始点から経路探索終了点までの経路演算を所定のアルゴリズムに基づいて行う。このようにして求められた経路（以下、推奨経路という）は、表示形態、たとえば表示色などを変えることによって、ほかの道路とは区別して画面表示される。これにより、ユーザは地図上の推奨経路を画面上で認識することができる。また、ナビゲーション装置１は、推奨経路にしたがって車両が走行できるように、ユーザに対して画面や音声などによる進行方向指示を行い、車両を経路誘導する。
【００１３】
通信装置１９は、無線電波を利用して不図示の情報センタとの間でデータ通信を行う装置である。通信装置１９を用いて情報センタから、図２に示すような外国為替レートの情報を取得することができる。ナビゲーション装置１は、１日１回所定時間に外国為替レートの情報を情報センタから取得する。
【００１４】
データ記憶装置１１０は、フラッシュメモリやハードディスクなどの書き換え可能な記録媒体によって構成される記憶装置である。データ記憶装置１１０は、情報センタから取得した図２に示すような外国為替レートの情報を記憶する。
【００１５】
ＥＴＣ車載器２は、料金所に設けられた不図示の道路側アンテナと無線通信を行い、有料道路に進入したときの料金所入口の情報を送信した後、徴収される通行料金（以下、徴収料金と呼ぶ）の情報を受信する。徴収料金は、後日、ユーザに請求され、支払われる。また、ＥＴＣ車載器２には、ＩＣカード２１が挿入され、料金徴収の履歴がＩＣカード２１に記憶される。ＥＴＣ車載器２は、道路側アンテナから受信した徴収料金の情報を受信すると、その情報をナビゲーション装置１に出力する。また、ＥＴＣ車載装置２は、ＩＣカード２１に記憶された料金徴収の履歴の情報をナビゲーション装置１に出力することができる。
【００１６】
次に、図３〜図６を参照して本発明の一実施形態における、ＥＴＣシステムにおいて徴収される料金のユーザに対する通知について説明する。図３（ａ）に示すように、ユーザは、メニュー画面３０に表示された「言語選択」の項目３１を選択することにより、ナビゲーション装置１に使用する言語を設定するができる。「言語選択」の項目３１を選択すると、図３（ｂ）に示すように、ナビゲーション装置１に使用する言語の候補４１〜４５が表示される。たとえば、ユーザは、言語の候補４１〜４５の中から、「日本語」４１を選択した場合、日本語でメニュー画面などが表示され、日本語で音声案内を受けることができる。
【００１７】
また、ＥＴＣ車載器２が料金所において徴収料金の情報を取得したとき、図４に示すように、徴収料金の情報５０ａが表示モニタ１６に表示される。ナビゲーション装置１に使用される言語は日本語に設定されているので、徴収料金の情報５０ａは、日本の通貨である「円」で表示される。また、図４に示すように、スピーカ１７からも徴収料金の情報６０ａが日本語の音声で出力される。
【００１８】
一方、図５（ａ）に示すように、言語の候補４１〜４５の中から、ユーザが「日本語」４１以外の言語たとえば、「英語（ＵＳＡ）」４２を選択した場合、図５（ｂ）に示すように、英語でメニュー画面などが表示される。
【００１９】
ＥＴＣ車載器２が料金所において徴収料金の情報を取得したとき、図６に示すように、徴収料金の情報５０ｂが表示モニタ１６に表示される。ナビゲーション装置１に使用される言語は英語（ＵＳＡ）に設定されているので、徴収料金の情報５０ｂは、米国の通貨である「ドル」で表示される。表示される徴収料金の金額は、データ記憶装置１１０に記憶された外国為替レートの情報に基づいてドルに換算され、算出される。また、図６に示すように、スピーカ１７からもドルに換算された徴収料金の情報６０ｂが英語の音声で出力される。
【００２０】
次に、本発明の実施形態における、ＥＴＣシステムにおいて徴収される料金の通知処理について、図７のフローチャートを参照して説明する。図７の処理は、ナビゲーション装置１およびＥＴＣ車載器２の不図示の電源スイッチがオンされるとスタートするプログラムにより、制御回路１１において実行される。
【００２１】
ステップＳ７０１では、ＥＴＣ車載器２から料金徴収の情報が出力されたか否かを判定する。ＥＴＣ車載器２から料金徴収の情報が出力された場合はステップＳ７０１が肯定判定され、ステップＳ７０２へ進む。ＥＴＣ車載器２から料金徴収の情報が出力されない場合はステップＳ７０１を繰り返す。
【００２２】
ステップＳ７０２では、ナビゲーション装置１に使用されている言語より徴収料金を換算する通貨を決定する。ステップＳ７０３では、データ記憶装置１１０に記憶された外国為替レートの情報より、徴収料金をステップＳ７０３で決定した通貨に換算する。
【００２３】
ステップＳ７０４では、換算された徴収料金を表示モニタ１６に表示する。ステップＳ７０５では、換算された徴収料金をスピーカ１７から音声で出力する。そして、スタートへリターンする。
【００２４】
以上の実施の形態によるナビゲーション装置１は次のような作用効果を奏する。
ナビゲーション装置１に使用されている言語に基づいて、自動料金収受システムにおいて徴収される料金を表す通貨を決定し、その通貨で自動料金収受システムにおいて徴収された料金をユーザに通知するようにした。したがって、外国人のユーザは、自動料金収受システムにおいて徴収される料金の多寡を実感としてつかむことができる。
【００２５】
とくに、ナビゲーション装置１に使用されている言語に基づいて、自動料金収受システムにおいて徴収される料金を表す通貨を決定するので、外国のユーザが徴収される料金の多寡を実感としてつかむことができる通貨を自動的に選択することができる。理由は以下の通りである。外国のユーザは、ナビゲーション装置１に使用されている言語として、慣れ親しんだ言語を選択する。この慣れ親しんだ言語が主として使用されている国家の通貨を選択することにより、外国のユーザが慣れ親しんだ通貨を選択することができる。
【００２６】
以上の実施の形態のナビゲーション装置１を次のように変形することができる。
（１）外国為替レートの情報を情報センタから取得したが、ラジオ放送の文字放送から外国為替レートの情報を取得するようにしてもよい。また、携帯電話をナビゲーション装置１に接続し、通信装置１９の代りに携帯電話を介して外国為替レートの情報を取得するようにしてもよい。
【００２７】
（２）上述したように、徴収料金は、後日、ユーザに請求される。外国為替レートは変動するので、外国人のユーザがその外国の通貨で支払う徴収料金の金額は、ナビゲーション装置１に外国の通貨で表示された徴収料金の金額と変わる場合がある。このように、ナビゲーション装置１から通知される、外国通貨に換算された徴収料金の金額は、参考金額であり、確定した金額ではない。このような理由から、外国通貨に換算された徴収料金の金額を通知するとき、この金額は参考金額であり、確定金額でないことを通知するようにしてもよい。これにより、外国のユーザが、通知された金額を支払い時の確定金額であると誤認するのを防止することができる。たとえば、「クレジット決済のため、料金が異なることがあります。」と、ナビゲーション装置１に使用される言語で表示モニタ１６に表示するようにしてもよい。また、ナビゲーション装置１に使用される言語による音声で、「クレジット決済のため、料金が異なることがあります。」と、スピーカ１７から出力するようにしてもよい。
【００２８】
（３）ＥＴＣ車載装置２から取得した料金徴収の履歴情報を、ナビゲーション装置１に設定された言語に対応する外国通貨に換算して表示できるようにしてもよい。これにより、外国人のユーザは、徴収料金の履歴に表示されている徴収料金についても、徴収料金の多寡を実感としてつかむことができる。たとえば、ナビゲーション装置１に使用されている言語が英語（ＵＳＡ）に選択された場合、図８に示すように、ＥＴＣ車載装置２から取得した料金徴収の履歴情報７０がアメリカの通貨であるドルに換算されて表示される。料金徴収の履歴情報７０の中の料金徴収の履歴７１を見ることにより、２００７年８月２７日に、地点「Ａ」から地点「Ｂ」まで有料道路を通行し、そのときの通行料金がドル換算で９ドルであったことがわかる。
【００２９】
以上の説明はあくまで一例であり、発明は、上記の実施形態に何ら限定されるものではない。
【００３０】
特許請求の範囲の要素と実施の形態との対応関係を説明する。
本発明の言語設定手段は制御回路１１および入力装置１８に対応し、徴収料金情報取得手段および通貨決定手段は制御回路１１に対応する。徴収料金情報通知手段は制御回路１１、表示モニタ１６およびスピーカ１７に対応する。徴収料金履歴情報取得手段は制御回路１１に対応し、徴収料金履歴情報通知手段は制御回路１１および表示モニタ１６に対応する。なお、以上の説明はあくまで一例であり、発明を解釈する上で、上記の実施形態の構成要素と本発明の構成要素との対応関係になんら限定されるものではない。
【図面の簡単な説明】
【００３１】
【図１】本発明の実施形態のナビゲーション装置の構成を示すブロック図である。
【図２】情報センタから取得する外国為替レートの情報を説明するための図である。
【図３】ナビゲーション装置に使用する言語を日本語に選択する操作を説明するための図である。
【図４】ナビゲーション装置に使用する言語が日本語に選択された場合のＥＴＣシステムにおいて徴収される料金の通知を説明するための図である。
【図５】ナビゲーション装置に使用する言語を英語に選択する操作を説明するための図である。
【図６】ナビゲーション装置に使用する言語が英語に選択された場合のＥＴＣシステムにおいて徴収される料金の通知を説明するための図である。
【図７】本発明の実施形態における、ＥＴＣシステムにおいて徴収される料金の通知処理を説明するためのフローチャートである。
【図８】ナビゲーション装置に使用する言語が英語に選択された場合のＥＴＣシステムにおいて徴収される料金の履歴表示を説明するための図である。
【符号の説明】
【００３２】
１  ナビゲーション装置
２  ＥＴＣ車載器
１１  制御回路
１６  表示モニタ
１７  スピーカ
１８  入力装置
１９  通信装置
３０  メニュー画面
５０ａ，５０ｂ  徴収料金の情報
４１〜４５  ナビゲーション装置における使用言語の候補
１１０  データ記憶装置
【図１】
2009092560.tif 000003
【図２】
2009092560.tif 000004
【図３】
2009092560.tif 000005
【図４】
2009092560.tif 000006
【図５】
2009092560.tif 000007
【図６】
2009092560.tif 000008
【図７】
2009092560.tif 000009
【図８】
2009092560.tif 000010